(57)【要約】【課題】携帯端末に不在着信、未読メールが存在する場合に、その存在を確実に携帯端末使用者に報知する。【解決手段】  携帯電話１１の充電器１２および各家電の電源コード１９に信号線を通して信号ライン２１を作成し、各家電の操作が行われた場合に信号ライン２１に変化を発生させる。携帯電話１１はこの信号ライン２１の変化を監視し、変化があった場合には、その空間に使用者がいると認識する。この携帯電話１１の認識動作を利用し、充電器１２に設置された携帯電話１１において、不在着信や未読メールがある場合には、家電の操作が行われた場合には同じ空間に使用者がいると認識して、携帯電話１１からメッセージの鳴音を行う。【選択図】      図１                                                  
2005184162.tif 000002
【特許請求の範囲】
【請求項１】
携帯端末が設置される充電器の電源コードと、１個または複数個の電気製品の電源コードとが前記電源コードに付設された信号線を介して信号ラインを構成しており、
前記携帯端末は不在着信や未読メールが存在しかつ前記信号ラインに変化があった場合、前記不在着信や未読メールが存在する旨を報知する報知手段を含むことを特徴とする携帯端末情報報知システム。
【請求項２】
前記報知する情報は前記携帯端末に表示されることを特徴とする請求項１記載の携帯端末情報報知システム。
【請求項３】
前記電気製品には識別用信号列が割当てられており、前記報知手段は前記信号ラインに変化があった場合、前記識別用信号列に基づきその変化があった前記電気製品を識別し、その電気製品の表示部に前記報知する情報を表示することを特徴とする請求項１記載の携帯端末情報報知システム。
【請求項４】
携帯端末が設置される充電器の電源コードと、１個または複数個の電気製品の電源コードとが前記電源コードに付設された信号線を介して信号ラインを構成しており、
前記携帯端末に不在着信や未読メールが存在しかつ前記信号ラインに変化があった場合、前記不在着信や未読メールが存在する旨を報知する報知ステップを含むことを特徴とする携帯端末情報報知方法。
【請求項５】
前記報知する情報は前記携帯端末に表示されることを特徴とする請求項４記載の携帯端末情報報知方法。
【請求項６】
前記電気製品には識別用信号列が割当てられており、前記報知ステップは前記信号ラインに変化があった場合、前記識別用信号列に基づきその変化があった前記電気製品を識別し、その電気製品の表示部に前記報知する情報を表示することを特徴とする請求項４記載の携帯端末情報報知方法。
【請求項７】
携帯端末が設置される充電器の電源コードと、１個または複数個の電気製品の電源コードとが前記電源コードに付設された信号線を介して信号ラインを構成しており、
前記携帯端末に不在着信や未読メールが存在しかつ前記信号ラインに変化があった場合、前記不在着信や未読メールが存在する旨を報知する報知ステップをコンピュータに実行させるためのプログラム。
【請求項８】
前記報知する情報は前記携帯端末に表示されることを特徴とする請求項７記載のプログラム。
【請求項９】
前記電気製品には識別用信号列が割当てられており、前記報知ステップは前記信号ラインに変化があった場合、前記識別用信号列に基づきその変化があった前記電気製品を識別し、その電気製品の表示部に前記報知する情報を表示することを特徴とする請求項７記載のプログラム。
【発明の詳細な説明】
【技術分野】
【０００１】
本発明は、携帯端末情報報知システムおよびその報知方法ならびにプログラムに関し、特に使用者がその空間に存在することを認識して、携帯端末から不在着信、未読メールの報知を行う携帯端末情報報知システムおよびその報知方法ならびにプログラムに関する。
【背景技術】
【０００２】
従来、携帯端末、一例として携帯電話に離席中の不在着信や未読メールがある場合には、一定間隔でのＬＥＤ（light emitting diode）等の点灯部による報知が行なわれていた。
【０００３】
また、この種の従来技術の他の例として、テレビジョンの電源が投入されると、電源接続検出装置がメッセージ送信装置にメッセージ送信を指示し、メッセージ送信装置は通信網を通してポケットベルにメッセージを送信する。これにより、メッセージ受信者はテレビジョンの電源が投入されたことからメッセージ送信元が帰宅したことを知ることができる、という技術が開示されている（特許文献１参照）。
【０００４】
また、この種の従来技術の他の例として、不在着信報知手段が記憶手段に記憶された電話番号の発信元から不在着信があった場合に鳴音動作あるいは振動動作を行って当該不在着信を報知する、という技術が開示されている（特許文献２参照）。
【０００５】
また、この種の従来技術の他の例として、近距離無線通信機能を用いて携帯電話の着信をテレビ受像機にて報知するという技術が開示されている（特許文献３参照）。
【０００６】
【特許文献１】特開２００１−１５６９２８号公報（段落００１４、図１）
【特許文献２】特開２００２−１３５３７９号公報（段落０００９）
【特許文献３】特開２００２−３５９６７０号公報（段落００１０、図１、図４）
【発明の開示】
【発明が解決しようとする課題】
【０００７】
しかし、従来のＬＥＤにより報知する場合、ＬＥＤの点灯を確認する煩わしさや確認を忘れることにより大切な用件が伝わらないという問題が起こり得る。
【０００８】
また、特許文献１記載の技術はテレビジョンの電源投入により送信元が帰宅したことを知ることができるが、その情報は通信網を通してポケットベルに送信されるものに限られる。
【０００９】
また、特許文献２記載の技術は特定の発信元から不在着信があったことを鳴音動作により知ることができるだけである。
【００１０】
また、特許文献３記載の技術は着信時の報知を目的としており、不在着信や未読メールを使用者に報知することを目的としたものではない。
【００１１】
そこで本発明の目的は、携帯端末に不在着信、未読メールが存在する場合に、その存在を確実に携帯端末使用者に報知することが可能な携帯端末情報報知システムおよびその報知方法ならびにプログラムを提供することにある。
【課題を解決するための手段】
【００１２】
前記課題を解決するために、本発明による携帯端末情報報知システムは、携帯端末が設置される充電器の電源コードと、１個または複数個の電気製品の電源コードとが前記電源コードに付設された信号線を介して信号ラインを構成しており、前記携帯端末は不在着信や未読メールが存在しかつ前記信号ラインに変化があった場合、前記不在着信や未読メールが存在する旨を報知する報知手段を含むことを特徴とする。
【００１３】
また、本発明による携帯端末情報報知方法は、携帯端末が設置される充電器の電源コードと、１個または複数個の電気製品の電源コードとが前記電源コードに付設された信号線を介して信号ラインを構成しており、前記携帯端末に不在着信や未読メールが存在しかつ前記信号ラインに変化があった場合、前記不在着信や未読メールが存在する旨を報知する報知ステップを含むことを特徴とする。
【００１４】
また、本発明によるプログラムは、携帯端末が設置される充電器の電源コードと、１個または複数個の電気製品の電源コードとが前記電源コードに付設された信号線を介して信号ラインを構成しており、前記携帯端末に不在着信や未読メールが存在しかつ前記信号ラインに変化があった場合、前記不在着信や未読メールが存在する旨を報知する報知ステップをコンピュータに実行させることを特徴とする。
【００１５】
携帯電話の充電器および各家電（例えば、テレビ受像機や電灯など）の電源コードに信号線を通しコンセントを介してある空間（例えば、ある部屋単位など）で信号ラインを作成して、各家電の操作が行われた場合には信号ラインに変化を発生させる。携帯電話はこの信号ラインの変化を監視して、変化があった場合には、その空間の家電が操作された、つまり、その空間に使用者がいると認識する。
【００１６】
本発明は、上記の携帯電話の認識動作を利用して、充電器に設置された状態の携帯電話において、不在着信や未読メールがある場合には、同じ空間にある家電の操作状態を充電器に設置された携帯電話が監視し、家電の操作が行われた場合には同じ空間に使用者がいると認識して、携帯電話からメッセージの鳴音を行う事で、不在着信や未読メールを確認する煩わしさや確認を忘れることにより大切な用件が伝わらないという問題を解消することを特徴としている。
【発明の効果】
【００１７】
本発明によれば、上記構成を有することにより、携帯端末に不在着信、未読メールが存在する場合に、その存在を確実に携帯端末使用者に報知することが可能となる。
【００１８】
具体的に説明すると、本発明の効果は、充電器に設置された状態の携帯電話において、不在着信や未読メールがある場合には、同じ空間にある家電の操作状態を充電器に設置された携帯電話が監視し、家電の操作が行われた場合には同じ空間に、しいては同じ部屋に使用者がいると認識して、携帯電話からメッセージの鳴音や着信・表示あるいはＬＥＤ等の点滅を行う事で、不在着信や未読メールを確認する煩わしさを解消すること、また、確認を忘れることにより大切な用件が伝わらないという問題を解消することができる。
【発明を実施するための最良の形態】
【００１９】
以下、本発明の実施例について添付図面を参照しながら説明する。
【実施例１】
【００２０】
図１は本発明に係る携帯端末情報報知システム１の第１実施例の構成図である。同図を参照すると、携帯端末情報報知システム１は携帯電話１１と、その充電器１２と、テレビジョン受像機（家電Ａ）１３と、その信号送信機１４と、電灯（家電Ｂ）１５と、その信号送信機１６と、その他家電（家電Ｃ）１７と、その信号送信機１８と、信号線入り電源コード１９と、コンセント部２０と、信号ライン２１とを含んで構成される。
【００２１】
なお、以下の実施例では携帯端末の一例として携帯電話を挙げるが、これに限定されるものではなく他の携帯通信端末に適用することが可能である。
【００２２】
信号ライン２１は信号線が内部に追加された電源コード１９により、コンセント部２０を介して、ある空間ごと、たとえば、ある部屋単位に構成される信号ラインである。充電器１２は携帯電話１１に装着されたバッテリを充電する。信号送信機１４，１６、１８はそれぞれテレビジョン受像機１３、電灯１５、その他家電１７の状態を監視して操作が行われた場合には、信号ライン２１に変化を発生させる。テレビジョン受像機１３、電灯１５、その他家電１７は信号線入り電源コード１９で信号ライン２１に接続される。
【００２３】
同図に示すように、携帯電話１１と、テレビジョン受像機１３、電灯１５、その他家電１７とは信号ライン２１を介して通信可能に接続されている。
【００２４】
次に、携帯電話１１の構成の一例について説明する。図２は携帯電話１１の構成の一例を示す構成図である。同図を参照すると、携帯電話１１は充電部３１と、信号受信部３２と、メモリ部３３と、スピーカ部３４と、着信表示部３５と、制御部３６と、記録媒体３７とを含んで構成される。
【００２５】
充電部３１は携帯電話１１を充電器１２に設置することで、携帯電話１１の充電を行う。信号受信部３２は信号ライン２１の変化を監視する。メモリ部３３は装置全体の設定の格納、および不在着信や未読メールの有無を記憶する。スピーカ部３４はメッセージのアナウンスを行う。着信表示部３５はＬＥＤ等により点灯、消灯、点滅処理を行う。制御部３６は装置全体の制御、およびメモリ部３３の状態を確認し不在着信や未読メールがある場合には、信号受信部３２の状態を確認して信号に変化があると、スピーカ部３４よりメッセージの鳴音を行う、または着信表示部３５の点滅処理を行う。記録媒体３７には後述するプログラムが格納されている。
【００２６】
次に、携帯端末情報報知システム１の動作について説明する。図３は携帯端末情報報知システム１の動作の一例を示すフローチャートである。
【００２７】
携帯電話１１が充電器１２に設置された状態( ステップＳ１) で、制御部３６はメモリ部３３の状態を確認し、不在着信や未読メールがある場合には( ステップＳ２でＹｅｓ) 、信号受信部３２の状態の監視を始める。同一空間内の家電（１３，１５，１７) のいずれかに操作が行われると( ステップＳ３でＹｅｓ) 、その操作が行われた家電に対応する信号送信機( １４，１６，１８のいずれか) から信号が送信されて信号ライン２１に変化が発生する( ステップＳ４) 。制御部３６は信号受信部３２の変化を確認して、スピーカー部３４より「不在着信あり」や「未読メールあり」などのメッセージの鳴音や着信表示部３５の点滅処理を行う( ステップＳ５) 。
【００２８】
一方、ステップＳ２にて不在着信や未読メールがない場合 (ステップＳ２でＮｏ) 、および同一空間内の家電（１３，１５，１７) のいずれにも操作が行われない場合( ステップＳ３でＮｏ) は、それぞれのステップで処理は待機状態となる。
【００２９】
以上説明したように、第１実施例によれば不在着信や未読メールを確認する煩わしさを解消すること、また、確認を忘れることにより大切な用件が伝わらないという問題を解消することができる。
【実施例２】
【００３０】
次に、本発明の第２実施例について説明する。周りが騒々しくてメッセージが聞こえない、または、点灯するＬＥＤ部が隠れていて確認できないなどにより、大切な用件が伝わらないという問題が起こり得る。そこで、第２実施例では各家電毎に信号列を割当てることで、携帯電話が操作された家電を識別し、更に携帯電話から各家電に操作指示を送信する。操作された家電が視覚的、または聴覚的な動作をする場合には、その動作の中に、画面への表示やメッセージの鳴音を行うことで、上記問題を解消することができる。
【００３１】
図４は本発明に係る携帯端末情報報知システム４１の第２実施例の構成図である。同図を参照すると、携帯端末情報報知システム４１は携帯電話５１と、その充電器５２と、テレビジョン受像機５３と、その信号送受信機５４と、電灯５５と、その信号送受信機５６と、その他家電５７と、その信号送受信機５８と、信号線入り電源コード５９と、コンセント部６０と、信号ライン６１とを含んで構成される。
【００３２】
図４に示す第２実施例の構成図は、図１に示す第１実施例の構成図における信号送信機１４，１６，１８に代わり、信号送受信機５４，５６，５８を用いている。
【００３３】
図５は携帯電話５１の第２実施例の構成図である。同図を参照すると、携帯電話５１は充電部３１と、信号受信部７２と、メモリ部７３と、スピーカ部７４と、着信表示部７５と、制御部７６と、記録媒体７７とを含んで構成される。すなわち、第２実施例では図２の携帯電話の第1 実施例の構成図における信号受信部３２に代わり、信号送受信部７２を用いている。
【００３４】
図６は各家電への信号列の割当ての一例を示す図である。同図を参照すると、家電Ａ（テレビジョン受像機５３）には信号列０１が、家電Ｂ（電灯５５）には信号列０２が、家電Ｃ（その他家電５７、一例としてオーディオ機器）には信号列０３がそれぞれ割当てられている。
【００３５】
図７は各家電と、信号列の割当て例と、対象家電への操作指示例との対応を示す図である。視覚・聴覚的な操作を行う家電の場合には操作の対象家電として操作信号列（一例として１１，１２，１３）を割当てる。一方、視覚・聴覚的な操作が行えない家電の場合には操作対象外として操作信号列は割当てず、代わりに携帯電話５１自体を操作することとする。
【００３６】
ここで割当てた信号列１１，１２，１３とその操作の対象となる家電に対応する操作信号列を予めメモリ部７３に格納する。同図を参照すると、操作の対象となる家電がテレビジョン受像機５３である場合は、操作信号列は対象のスピーカからのメッセージ鳴音あるいは対象の表示部へのメッセージ表示であり、操作の対象となる家電が一例として表示部付き冷蔵庫である場合は、操作信号列は対象の表示部へのメッセージ表示であり、操作の対象となる家電が一例としてオーディオ機器である場合は、操作信号列は対象のスピーカからのメッセージ鳴音である。
【００３７】
次に、携帯端末情報報知システム４１の動作について説明する。図８は携帯端末情報報知システム４１の動作の一例を示すフローチャートである。
【００３８】
図８のステップＳ１１からＳ１３までは、図３のフローチャートのステップＳ１からＳ３までと同じ動作である。図３のステップＳ４では信号ラインに変化を与えるだけであったが、図８のステップＳ１４では操作された対象家電５４，５６，５８から携帯電話５１へと図６にて割当てられた信号列を送信する。
【００３９】
制御部７６は、信号送受信部７２で受信した信号列をメモリ部７３に格納された信号列と比較して操作対象の家電であるか、否かを確認する( ステップＳ１５) 。
【００４０】
操作対象の家電である場合には( ステップＳ１５でＹｅｓ) 、携帯電話５１から各家電に対し、メモリ部７３に格納された対象となる操作信号列を送信する( ステップ１６) 。全ての家電５３，５５，５７が操作信号列を受信するが割当てられた信号列と同じ、つまり、対象となる家電のみが対応した操作を実施する( ステップ１７) 。
【００４１】
一方、操作対象外の家電である場合には( ステップ１５でＮｏ) 、携帯電話５１にてスピーカ部７４より「不在着信あり」や「未読メールあり」などのメッセージの鳴音や着信表示部７５の点滅処理を行う( ステップＳ１８) 。
【００４２】
以上説明したように、第２実施例によれば周りが騒々しくてメッセージが聞こえない、または点灯するＬＥＤ部が隠れていて確認できないような場合でも、メッセージを確認することが可能となる。
【実施例３】
【００４３】
次に、本発明の第３実施例について説明する。第３実施例は携帯端末情報報知方法のプログラムに関するものである。図２の記録媒体３７および図５の記録媒体７７には携帯端末情報報知方法をコンピュータに実行させるためのプログラムが格納されている。そのプログラムは図３および図８にフローチャートで示されるものである。
【００４４】
制御部３６（７６）は記録媒体３７（７７）よりプログラムを読み出し、そのプログラムにしたがって充電部３１（７１）、信号受信部３２（信号送受信部７２）、メモリ部３３（７３）、スピーカ部３４（７４）、着信表示部３５（７５）を制御する。その制御の内容についてはすでに述べたのでここでの説明は省略する。
【００４５】
第３実施例の効果は第１および第２実施例と同様である。
【図面の簡単な説明】
【００４６】
【図１】本発明に係る携帯端末情報報知システム１の第１実施例の構成図である。
【図２】携帯電話１１の構成の一例を示す構成図である。
【図３】携帯端末情報報知システム１の動作の一例を示すフローチャートである。
【図４】本発明に係る携帯端末情報報知システム４１の第２実施例の構成図である。
【図５】携帯電話５１の第２実施例の構成図である。
【図６】各家電への信号列の割当ての一例を示す図である。
【図７】各家電と、信号列の割当て例と、対象家電への操作指示例との対応を示す図である。
【図８】携帯端末情報報知システム４１の動作の一例を示すフローチャートである。
【符号の説明】
【００４７】
１、４１  携帯端末情報報知システム
１１、５１  携帯電話
１２、５２  充電器
１３、５３  テレビジョン受像機
１４、１６、１８  信号送信機
１５、５５  電灯
１７，５７  その他家電
１９、５９  信号線入り電源コード
２０、６０  コンセント部
２１、６１  信号ライン
３１、７１  充電部
３２  信号受信部
３３、７３  メモリ部
３４、７４  スピーカ部
３５、７５  着信表示部
３６、７６  制御部
３７、７７  記録媒体
５４，５６，５８  信号送受信機
７２  信号送受信部
【図１】
2005184162.tif 000003
【図２】
2005184162.tif 000004
【図３】
2005184162.tif 000005
【図４】
2005184162.tif 000006
【図５】
2005184162.tif 000007
【図６】
2005184162.tif 000008
【図７】
2005184162.tif 000009
【図８】
2005184162.tif 000010